(57)【要約】【課題】  データに関連付けられた、データの一部を示すサムネイル画像からなるアイコンを指定して、対応するアプリケーションでデータを起動開始する場合に、サムネイルアイコンとして表示されていた個所での表示を可能にし、アイコン一覧画面からアプリケーション画面に切り替わった時にユーザ操作の連続性を確保する。【解決手段】  夫々が１つのデータに関連づけられて生成されたアイコンの一覧を表示手段に出力する出力手段と、  前記表示されているアイコンより指定された１つから該アイコンに関連付けられたデータを予め指定の処理で再生開始するデータ再生開始手段と、  １つのデータに対して生成された複数のアイコンをユーザの指定に従って切替える複数アイコン切替手段と、現在表示されているアイコンに基づいて、データの再生開始を制御する制御手段と、を有することを特徴とする情報処理装置。【選択図】  図２
2008140242.tif 000002
【特許請求の範囲】
【請求項１】
夫々が１つのデータに関連づけられて生成されたアイコンの一覧を表示手段に出力する出力手段と、
前記表示されているアイコンより指定された１つから該アイコンに関連付けられたデータを予め指定の処理で再生開始するデータ再生開始手段と、
１つのデータに対して生成された複数のアイコンをユーザの指定に従って切替える複数アイコン切替手段と、
現在表示されているアイコンに基づいて、データの再生開始を制御する制御手段と、
を有することを特徴とする情報処理装置。
【請求項２】
前記データは複数のページを持ち、
前記複数アイコン切替手段は、サムネイルアイコンとして生成された前記データの各ページの表示イメージを縮小したサムネイル画像を切替え、
前記制御手段は、切替え手段の結果切替えられた、現在選択されているページを制御開始時点における制御対象とすることを特徴とする請求項１記載の情報処理装置。
【請求項３】
前記データは複数のシーンを持ち、
前記複数アイコン切替手段は、サムネイルアイコンとして生成された前記データの各シーンの静止画表示イメージを縮小したサムネイル画像を切替え、
前記制御手段は、切替え手段の結果切替えられた、現在選択されているシーンを制御開始時点における制御対象とすることを特徴とする請求項１記載の情報処理装置。
【請求項４】
前記データは１つ以上のフレーズを持ち、
前記複数アイコン切替手段は、サムネイルアイコンとして生成された前記データの各フレーズの情報を元に生成されたサムネイル画像を切替え、
前記制御手段は、切替え手段の結果切替えられた、現在選択されているフレーズを制御開始時点における制御対象とすることを特徴とする請求項１記載の情報処理装置。
【請求項５】
前記データは１つ以上の方向を持ち、
前記複数アイコン切替手段は、サムネイルアイコンとして生成された各方向の表示イメージを縮小したサムネイル画像を切替え、
前記制御手段は、切替え手段の結果切替えられた、現在選択されている方向を制御開始時点における制御対象とすることを特徴とする請求項１記載の情報処理装置。
【請求項６】
前記データは１つ以上の大きさを持ち、
前記複数アイコン切替手段は、サムネイルアイコンとして生成された各大きさの表示イメージを縮小したサムネイル画像を切替え、
前記制御手段は、切替え手段の結果切替えられた、現在選択されている大きさを制御開始時点における制御対象とすることを特徴とする請求項１記載の情報処理装置。
【請求項７】
前記データは１つ以上の位置を持ち、
前記複数アイコン切替手段は、サムネイルアイコンとして生成された各位置の表示イメージを縮小したサムネイル画像を切替え、
前記制御手段は、切替え手段の結果切替えられた、現在選択されている位置を制御開始時点における制御対象とすることを特徴とする請求項１記載の情報処理装置。
【請求項８】
前記出力手段により出力され表示手段に表示されている指定されたアイコンを別形態で表示する指定アイコン表示手段を有し、
前記制御手段は、前記指定表示されているアイコンの状態に基づいて決定される条件で処理を制御し、
前記指定表示されていないアイコンが指定された場合には、標準の条件で処理を制御することを特徴とする請求項１記載の情報処理装置。
【請求項９】
前記指定アイコン表示手段は、前記複数のアイコンを切替るための制御ボタンを同時に表示することを特徴とする請求項８記載の情報処理装置。
【請求項１０】
前記指定アイコン表示手段は、指定されたアイコンを拡大表示することを特徴とする請求項８記載の情報処理装置。
【請求項１１】
請求項１から１０記載の情報処理方法。
【請求項１２】
請求項１から１０記載の処理を機能させるプログラムを記録した記録媒体。
【請求項１３】
請求項１から１０記載の処理をコンピュータによって実現させるための制御プログラム。
【発明の詳細な説明】
【技術分野】
【０００１】
本発明は、処理すべきデータを表すアイコンを用いた操作が可能な情報処理装置に関する。
【背景技術】
【０００２】
従来技術から、データの縮小イメージであるサムネイルをアイコンとして表示することにより、データを特定し易くすることが可能である。
【０００３】
さらに、複数ページからなるデータをページごとにサムネイル画像でアイコン表示し、サムネイルの状態で次ページを確認する技術が開示されている（特許文献１参照）。またサムネイルアイコンの状態で指定ページに対する操作を可能とする技術が開示されている（特許文献２参照）。
【特許文献１】特開平１１−１２０２０２公報
【特許文献２】特開平１０−２４０７２４公報
【発明の開示】
【発明が解決しようとする課題】
【０００４】
しかしながら、上述の従来技術においては、データに関連付けられたデータの一部を示すサムネイル画像からなるアイコンを指定して、対応するアプリケーションでデータを起動開始すると、アプリケーションごとに既定の状態で再生されるので、必ずしも、サムネイルアイコンとして表示されているデータの任意の一部分から起動開始されない、という問題があった。
【０００５】
すなわち、アイコン表示画面からアプリケーション画面に切り替わった瞬間に、アイコン表示画面でユーザが指定していた箇所を見失う為にユーザにとって不便であるという課題があった。
【課題を解決するための手段】
【０００６】
本発明は上記課題を解決するために、夫々が１つのデータに関連づけられて生成されたアイコンの一覧を表示手段に出力する出力手段と、
前記表示されているアイコンより指定された１つから該アイコンに関連付けられたデータを予め指定の処理で再生開始するデータ再生開始手段と、
１つのデータに対して生成された複数のアイコンをユーザの指定に従って切替える複数アイコン切替手段と、
現在表示されているアイコンに基づいて、データの再生開始を制御する制御手段と、
を有することを特徴とする情報処理装置を提供する。
【発明の効果】
【０００７】
本発明によれば、アイコン表示画面上で指定されたサムネイルアイコンの状態で、アプリケーション起動時のデータ再生開始の条件を指定することができる。これにより、アイコン一覧表示画面から、データ再生状態であるアプリケーション画面に切り替わった時に、ユーザ操作の連続性を確保するという効果がある。
【発明を実施するための最良の形態】
【０００８】
以下、図面を参照して本発明の好適な実施形態を詳細に説明する。
【０００９】
図１は実施形態１の情報処理装置のハードウェア構成を示すブロック図である。
【００１０】
同図において、１は情報（データ）を入力するための入力部である。２はＣＰＵであり、各種処理のための演算、論理判断等を行ない、バス６に接続された各構成要素を制御する。３は情報（データ）を出力する出力部である。出力部３としては、ＬＣＤやＣＲＴ等のディスプレイや、プリンタ等の記録装置がある。
【００１１】
４はプログラムメモリであり、後述するフローチャートの処理手順を含むＣＰＵ２による制御のためのプログラムを格納するメモリである。プログラムメモリ４は、ＲＯＭであってもよいし、外部記憶装置等からプログラムがロードされるＲＡＭであってもよい。
【００１２】
５はデータメモリであり、各種処理で生じたデータを格納する。データメモリ５は、例えば、ＲＡＭとするが、不揮発な外部記憶媒体から、処理に先立ってロードしておく、あるいは必要があるごとに参照するものとする。
【００１３】
６はＣＰＵ２の制御の対象とする各構成要素を指示するアドレス信号、各構成要素を制御するためのコントロール信号、各構成要素間で相互にやりとりされるデータの転送を行うためのバスである。
【００１４】
（第１の実施形態）
本実施形態では複数ページから構成される文書データ等を対象に説明する。
【００１５】
なお、以下の説明で用いる、データ対応処理起動処理とは、請求項１のデータ再生開始手段に相当するものである。また、複数アイコン切替処理とは、請求項１および請求項２の、複数アイコン切替手段に相当するものである。
【００１６】
図２は、本実施形態における全体処理の流れを示した図の一例である。
【００１７】
同図において、ステップｓ２０１のイベント入力処理で、ユーザによる操作または発生したイベントが入力検知される。
【００１８】
その結果、続くステップｓ２０２において、イベント種別が判断され、終了が指示されたと判断された場合、処理を終了する。
【００１９】
ステップｓ２０２において、発生したイベントがアイコン一覧表示指示操作として判断された場合、ステップｓ２０３のアイコン一覧表示処理により、表示対象データのアイコン一覧を表示する。
【００２０】
ステップｓ２０２において、発生したイベントが、データ対応処理起動指示操作として判断された場合、ステップｓ２０４のデータ対応処理起動処理により、前述のアイコン一覧表示処理により表示されているアイコン一覧の中で、現在選択されているアイコンが示すデータに対応した処理を起動する。
【００２１】
ステップｓ２０２において、発生したイベントが、前述のアイコン一覧中の任意のアイコンの選択状態を切替えるアイコン選択切替指示操作として判断された場合、ステップｓ２０５のアイコン選択切替処理により、アイコンの選択状態を切替える。
【００２２】
ステップｓ２０２で、発生したイベントが、前述のアイコン一覧中の、任意のアイコンの表示形態を切替える、複数アイコン切替指示操作として判断された場合、ステップｓ２０６の複数アイコン切替処理により、対象となるデータから生成される複数のアイコンを切替える。
【００２３】
ステップｓ２０２で、発生したイベントが、その他であると判断された場合、ステップｓ２０７の個別処理により、その他のイベントに対応した個別の処理を実行する。
【００２４】
それぞれの処理を終了すると、ステップｓ２０１に戻り、処理を繰り返す。
【００２５】
図３は、本実施形態におけるアイコン一覧表示処理の流れを示した図の一例である。
【００２６】
同図において、ステップｓ３０１の一覧データ取得処理により、一覧対象となる全データが取得される。続くステップｓ３０２において、処理対象が前述の一覧データの先頭で初期化され、ステップｓ３０３で終了と判断された場合、処理を終了する。
【００２７】
ステップｓ３０３において終了と判断されなかった場合、ステップｓ３０４のアイコン表示処理により、対象データに対応するアイコンが表示され、続くステップｓ３０５で次の対象データに処理対象が進められ、再びステップｓ３０３に戻り、処理を繰り返す。
【００２８】
図４は、本実施形態におけるデータ対応処理起動処理の流れを示した図の一例である。
【００２９】
同図において、ステップｓ４０１の選択データ取得処理により、前述のアイコン一覧画面で選択された全てのデータが取得される。
【００３０】
続くステップｓ４０２において、処理対象が前述の選択データの先頭で初期化され、ステップｓ４０３で終了と判断された場合、処理を終了する。
【００３１】
ステップｓ４０３で終了と判断されなかった場合、ステップｓ４０４において、対象データに対応するアプリケーションが起動中かどうか判断される。その結果、対応アプリケーションが起動中であると判断されなかった場合、ステップｓ４０５のアプリケーション起動処理により、対応アプリケーションが起動される。
【００３２】
続いて、ステップｓ４０６のデータ指定処理により、対象データをアプリケーションの処理対象に指定する。
【００３３】
続くステップｓ４０７のページ指定処理により、アイコン一覧画面上でのサムネイルアイコンのカレントページをアプリケーション起動時の処理ページに指定する。
【００３４】
続いて、ステップｓ４０８で次の対象データに処理対象が進められ、再びステップｓ４０３に戻り、処理を繰り返す。
【００３５】
図５は、本実施形態におけるアイコン選択切替処理の流れを示した図の一例である。
【００３６】
同図において、ステップｓ５０１で対象となるアイコンの状態が判断される。
【００３７】
ステップｓ５０１でアイコンが非選択状態と判断された場合、ステップｓ５０２のアイコン選択処理により、図７で後述するようにアイコンの背景色が変化する等の表示形態の変更と共に、状態を選択状態に変更し、処理を終了する。
【００３８】
ステップｓ５０１においてアイコンが選択状態と判断された場合、ステップｓ５０３のアイコン切替ボタン表示処理により、図８で後述するようにサムネイルアイコンの表示ページを切替える為のアイコン切替ボタンを表示し、処理を終了する。
【００３９】
ステップｓ５０１において、サムネイルアイコンにアイコン切替ボタンが表示されていると判断された場合、ステップｓ５０４のアイコン非選択処理により、前述のボタン類を非表示にし、背景色を通常状態に戻す等の表示形態を変更し、状態も非選択状態に変更し、処理を終了する。
【００４０】
図６は、本実施形態における複数アイコン切替処理の流れを示した図の一例である。
【００４１】
同図において、ステップｓ６０１において、行われた操作の種類が判断される。
【００４２】
ステップｓ６０１において、先頭ページへの切替え操作と判断された場合、ステップｓ６０２の先頭ページアイコン生成処理により、対象データの先頭ページの表示イメージを縮小したサムネイル画像からサムネイルアイコンを生成する。
【００４３】
ステップｓ６０１において、最終ページである末尾ページへの切替え操作と判断された場合、ステップｓ６０３の末尾ページアイコン生成処理により、対象データの末尾ページの表示イメージを縮小したサムネイル画像からサムネイルアイコンを生成する。
【００４４】
ステップｓ６０１において、前ページへの切替え操作と判断された場合、ステップｓ６０４の前ページアイコン生成処理により、対象データの前ページの表示イメージを縮小したサムネイル画像からサムネイルアイコンを生成する。
【００４５】
ステップｓ６０１において、次ページへの切替え操作と判断された場合、ステップｓ６０５の次ページアイコン生成処理により、対象データの次ページの表示イメージを縮小したサムネイル画像からサムネイルアイコンを生成する。
【００４６】
続くステップｓ６０６のアイコン表示処理により、上記で生成されたサムネイルアイコンを表示し、処理を終了する。
【００４７】
図７は、本実施形態におけるアイコン一覧画面、及び、画面上での操作の一例を示した図である。
【００４８】
同図において、画面上にサムネイルアイコン７１〜７４が表示されており、その中からサムネイルアイコン７２をペン７５で選択している。更に、サムネイルアイコン７２は前述の選択操作により、背景色が選択状態を表す色に変更されている。
【００４９】
また、同図において、サムネイルアイコン７１〜７４で同じサムネイル画像を用いているのは、文書の先頭ページではデータを判別しにくいことを示すために、あえて同一の画像で表現しただけであり、実際のデータでは判別は困難かもしれないが、微妙に異なる画像となる可能性が高い。
【００５０】
図８は、本実施形態におけるアイコン一覧画面、及び、画面上での操作の一例を示した図である。
【００５１】
同図において、画面上にサムネイルアイコン７１、７３、７４および８２が表示されており、その中の選択状態にあるサムネイルアイコン８２上にページ切替ボタン８６及び８７が表示されており、ペン７５でページ切替ボタン８６がタップされている。更に、サムネイルアイコン８２は前述のタップによるページ切替操作により、８ページあるデータ中の２ページ目の縮小イメージであるサムネイル画像に切替えられている。
【００５２】
また、同図において、サムネイルアイコン７１、７３、７４で同じサムネイル画像を用いているのは、文書の先頭ページではデータを判別しにくいことを示すために、あえて同一の画像で表現しただけであり、実際のデータでは判別は困難かもしれないが、微妙に異なる画像となる可能性が高い。
【００５３】
図９は、本実施形態におけるアプリケーションによるデータ表示画面の一例である文書表示画面を示した図である。
【００５４】
同図は、図８で説明したサムネイルアイコン８２を選択してアプリケーションを起動した場合に表示される文書表示画面の一例でもある。注目すべきは、起動時にデータの先頭個所が表示される従来技術とは異なり、本実施形態ではアイコン一覧画面で表示されていたサムネイルページに該当するページが、文書表示画面においても最初に表示されていることであり、アイコン一覧画面とアプリケーションによるデータ表示画面に操作の連続性が確保されるようになった点である。
【００５５】
以上説明した通り、本実施形態で示した本発明によれば、アイコン一覧画面上で、複数ページより構成されるデータを示すサムネイルアイコンにおいて、サムネイル状態で指定されたページをカレントページとして、アプリケーション起動時の条件を指定可能とした。これにより、アイコン一覧画面においてサムネイルアイコン状態で表示されていたページとアプリケーション起動時に表示される画面が異なるという問題が解決され、アイコン一覧画面からアプリケーション画面に切り替わった時も、ユーザ操作の連続性が確保されるという効果がある。
【００５６】
（第２の実施形態）
本実施形態では複数シーンから構成される動画データ等を対象に説明する。
【００５７】
なお、以下の説明で用いる、データ対応処理起動処理とは、請求項１のデータ再生開始手段に相当するものである。また、複数アイコン切替処理とは、請求項１および請求項３の、複数アイコン切替手段に相当するものである。
【００５８】
図１０は、本実施形態におけるデータ対応処理起動処理の流れを示した図の一例である。
【００５９】
同図において、ステップｓ１００１の選択データ取得処理により、前述のアイコン一覧画面で選択された全てのデータが取得される。
【００６０】
続くステップｓ１００２において、処理対象が前述の選択データの先頭で初期化され、ステップｓ１００３で終了と判断された場合、処理を終了する。
【００６１】
ステップｓ１００３において終了と判断されなかった場合、ステップｓ１００４において、対象データに対応するアプリケーションが起動中かどうか判断される。その結果、対応アプリケーションが起動中であると判断されなかった場合、ステップｓ１００５のアプリケーション起動処理により対応アプリケーションが起動される。
【００６２】
続くステップｓ１００６のデータ指定処理により、対象データをアプリケーションの処理対象に指定する。
【００６３】
続くステップｓ１００７のシーン指定処理により、アイコン一覧画面上でのサムネイルアイコンのカレントシーンをアプリケーション起動時の処理対象シーンに指定する。
【００６４】
続いてステップｓ１００８において、次の対象データに処理対象が進められ、再びステップｓ１００３に戻り、処理を繰り返す。
【００６５】
図１１は、本実施形態における複数アイコン切替処理の流れを示した図の一例である。
【００６６】
同図において、ステップｓ１１０１で行われた操作の種類が判断される。
【００６７】
ステップｓ１１０１において、先頭シーンへの切替え操作と判断された場合、ステップｓ１１０２の先頭シーンアイコン生成処理により、対象データの先頭シーンの表示イメージを縮小したサムネイル画像からサムネイルアイコンを生成する。
【００６８】
ステップｓ１１０１において、最終部分のシーンである末尾シーンへの切替え操作と判断された場合、ステップｓ１１０３の末尾シーンアイコン生成処理により、対象データの末尾シーンの表示イメージを縮小したサムネイル画像からサムネイルアイコンを生成する。
【００６９】
ステップｓ１１０１において、前シーンへの切替え操作と判断された場合、ステップｓ１１０４の前シーンアイコン生成処理により、対象データの前シーンの表示イメージを縮小したサムネイル画像からサムネイルアイコンを生成する。
【００７０】
ステップｓ１１０１において、次シーンへの切替え操作と判断された場合、ステップｓ１１０５の次シーンアイコン生成処理により、対象データの次シーンの表示イメージを縮小したサムネイル画像からサムネイルアイコンを生成する。
【００７１】
続くステップｓ１１０６のアイコン表示処理により、上記で生成されたサムネイルアイコンを表示し、処理を終了する。
【００７２】
図１２は、本実施形態におけるアイコン一覧画面及び画面上での操作の一例を示した図である。
【００７３】
同図において、画面上にサムネイルアイコン１２１〜１２４が表示されており、その中の選択状態にあるサムネイルアイコン１２２上にシーン切替ボタン１２６及び１２７が表示されており、ペン７５によってシーン切替ボタン１２６がタップされている。更に、サムネイルアイコン１２２は前述のタップによるシーン切替操作により、シーン「山田」の縮小イメージであるサムネイル画像に切替えられている。
【００７４】
また、同図において、サムネイルアイコン１２１、１２３、１２４で同じサムネイル画像を用いているのは、動画の先頭シーンではデータを判別しにくいことを示すために、あえて同一の画像で表現しただけであり、実際のデータでは判別は困難かもしれないが、微妙に異なる画像となる可能性が高い。
【００７５】
図１３は、本実施形態におけるアプリケーションによるデータ表示画面の一例である動画再生画面を示した図である。
【００７６】
同図は、図１２で説明したサムネイルアイコン１２２を選択してアプリケーションを起動した場合に表示される動画再生画面の一例でもある。注目すべきは、本実施形態ではアイコン一覧画面で表示されているシーンが、動画再生画面においても最初に表示されていることであり、アイコン一覧画面とアプリケーションによるデータ表示画面に操作の連続性が確保されるようになった点である。
【００７７】
以上説明した通り、本実施形態で示した本発明によれば、アイコン一覧画面上で、動画データを示すサムネイルアイコンにおいて、サムネイル状態で指定されたシーンをカレントシーンとして、アプリケーション起動時の条件を指定可能とした。これにより、アイコン一覧画面においてサムネイルアイコン状態で表示されていたシーンとアプリケーション起動時に表示される画面が異なるという問題が解決され、アイコン一覧画面からアプリケーション画面に切り替わった時も、ユーザ操作の連続性が確保されるという効果がある。
【００７８】
（第３の実施形態）
本実施形態では複数フレーズから構成される音声データ等を対象に説明する。
【００７９】
なお、以下の説明で用いる、データ対応処理起動処理とは、請求項１のデータ再生開始手段に相当するものである。また、複数アイコン切替処理とは、請求項１および請求項４の、複数アイコン切替手段に相当するものである。
【００８０】
図１４は、本実施形態におけるデータ対応処理起動処理の流れを示した図の一例である。
【００８１】
同図において、ステップｓ１４０１の選択データ取得処理により、前述のアイコン一覧画面で選択された全てのデータが取得される。
【００８２】
続くステップｓ１４０２において、処理対象が前述の選択データの先頭で初期化され、ステップｓ１４０３で終了と判断された場合、処理を終了する。
【００８３】
ステップｓ１４０３で終了と判断されなかった場合、ステップｓ１４０４において、対象データに対応するアプリケーションが起動中かどうか判断される。その結果、対応アプリケーションが起動中であると判断されなかった場合、ステップｓ１４０５のアプリケーション起動処理により、対応アプリケーションが起動される。
【００８４】
続いてステップｓ１４０６のデータ指定処理により、対象データをアプリケーションの処理対象に指定する。
【００８５】
続くステップｓ１４０７のフレーズ指定処理により、アイコン一覧画面上でのサムネイルアイコンのカレントフレーズをアプリケーション起動時の処理フレーズとして指定する。
【００８６】
続いてステップｓ１４０８において、次の対象データに処理対象が進められ、再びステップｓ１４０３に戻り、処理を繰り返す。
【００８７】
図１５は、本実施形態における複数アイコン切替処理の流れを示した図の一例である。
【００８８】
同図において、ステップｓ１５０１で行われた操作の種類が判断される。
【００８９】
ステップｓ１５０１において、先頭フレーズへの切替え操作と判断された場合、ステップｓ１５０２の先頭フレーズアイコン生成処理により、対象データの先頭フレーズの表示イメージを縮小したサムネイル画像からサムネイルアイコンを生成する。
【００９０】
ステップｓ１５０１において、最終部分のフレーズである末尾フレーズへの切替え操作と判断された場合、ステップｓ１５０３の末尾フレーズアイコン生成処理により、対象データの末尾フレーズの表示イメージを縮小したサムネイル画像からサムネイルアイコンを生成する。
【００９１】
ステップｓ１５０１において、前フレーズへの切替え操作と判断された場合、ステップｓ１５０４の前フレーズアイコン生成処理により、対象データの前フレーズの表示イメージを縮小したサムネイル画像からサムネイルアイコンを生成する。
【００９２】
ステップｓ１５０１で次フレーズへの切替え操作と判断された場合、ステップｓ１５０５の次フレーズアイコン生成処理により、対象データの次フレーズの表示イメージを縮小したサムネイル画像からサムネイルアイコンを生成する。
【００９３】
続くステップｓ１５０６のアイコン表示処理により、上記で生成されたサムネイルアイコンを表示し、処理を終了する。
【００９４】
図１６は、本実施形態におけるアイコン一覧画面及び画面上での操作の一例を示した図である。
【００９５】
同図において、画面上にサムネイルアイコン１６１〜１６４が表示されており、その中の選択状態にあるサムネイルアイコン１６２上にフレーズ切替ボタン１６６及び１６７が表示されており、ペン７５によってフレーズ切替ボタン１６６がタップされている。更に、サムネイルアイコン１６２は前述のタップによるフレーズ切替操作により、フレーズ「風々…」の縮小イメージであるサムネイル画像に切り替えられている。
【００９６】
図１７は、本実施形態におけるアプリケーションによるデータ表示画面の一例である音声再生画面を示した図である。
【００９７】
同図は、図１６で説明したサムネイルアイコン１６２を選択してアプリケーションを起動した場合に表示される音声再生画面の一例でもある。注目すべきは、本実施形態ではアイコン一覧画面で表示されているフレーズが、音声再生画面においても最初に表示されていることであり、アイコン一覧画面とアプリケーションによるデータ表示画面に操作の連続性が確保されるようになった点である。
【００９８】
以上説明した通り、本実施形態で示した本発明によれば、アイコン一覧画面上で、複数フレーズから構成される音声データを示すサムネイルアイコンにおいて、サムネイル状態で指定されたフレーズをカレントフレーズとして、アプリケーション起動時の条件を指定可能とした。これにより、アイコン一覧画面においてサムネイルアイコン状態で表示されていたフレーズとアプリケーション起動時に表示される画面が異なるという問題が解決され、アイコン一覧画面からアプリケーション画面に切り替わった時も、ユーザ操作の連続性が確保されるという効果がある。
【００９９】
（第４の実施形態）
本実施形態では表示の方向（正、逆、右、左の４方向）を持つ画像データ等を対象に説明する。
【０１００】
なお、以下の説明で用いる、データ対応処理起動処理とは、請求項１のデータ再生開始手段に相当するものである。また、複数アイコン切替処理とは、請求項１および請求項５の、複数アイコン切替手段に相当するものである。
【０１０１】
図１８は、本実施形態におけるデータ対応処理起動処理の流れを示した図の一例である。
【０１０２】
同図において、ステップｓ１８０１の選択データ取得処理により、前述のアイコン一覧画面で選択された全てのデータが取得される。
【０１０３】
続くステップｓ１８０２において、処理対象が前述の選択データの先頭で初期化され、ステップｓ１８０３で終了と判断された場合、処理を終了する。
【０１０４】
ステップｓ１８０３で終了と判断されなかった場合、ステップｓ１８０４において、対象データに対応するアプリケーションが起動中かどうか判断される。その結果、対応アプリケーションが起動中であると判断されなかった場合、ステップｓ１８０５のアプリケーション起動処理により、対応アプリケーションが起動される。
【０１０５】
続いて、ステップｓ１８０６のデータ指定処理により、対象データをアプリケーションの処理対象に指定する。
【０１０６】
続くステップｓ１８０７の方向指定処理により、アイコン一覧画面上でのサムネイルアイコンのカレント方向をアプリケーション起動時の処理方向に指定する。
【０１０７】
続いてステップｓ１８０８において、次の対象データに処理対象が進められ、再びステップｓ１８０３に戻り、処理を繰り返す。
【０１０８】
図１９は、本実施形態における複数アイコン切替処理の流れを示した図の一例である。
【０１０９】
同図において、ステップｓ１９０１で行われた操作の種類が判断される。
【０１１０】
ステップｓ１９０１において、正方向への切り替え操作と判断された場合、ステップｓ１９０２の正方向アイコン生成処理により、対象データの正方向の表示イメージを縮小したサムネイル画像からサムネイルアイコンを生成する。
【０１１１】
ステップｓ１９０１において、逆方向への切り替え操作と判断された場合、ステップｓ１９０３の逆方向アイコン生成処理により、対象データの逆方向の表示イメージを縮小したサムネイル画像からサムネイルアイコンを生成する。
【０１１２】
ステップｓ１９０１において、右方向への切り替え操作と判断された場合、ステップｓ１９０４の右方向アイコン生成処理により、対象データの右方向の表示イメージを縮小したサムネイル画像からサムネイルアイコンを生成する。
【０１１３】
ステップｓ１９０１において、左方向への切り替え操作と判断された場合、ステップｓ１９０５の左方向アイコン生成処理により、対象データの左方向の表示イメージを縮小したサムネイル画像からサムネイルアイコンを生成する。
【０１１４】
続くステップｓ１９０６のアイコン表示処理により、上記で生成されたサムネイルアイコンを表示し、処理を終了する。
【０１１５】
図２０は、本実施形態におけるアイコン一覧画面及び画面上での操作の一例を示した図である。
【０１１６】
同図において、画面上にサムネイルアイコン２０１〜２０４が表示されており、その中の選択状態にあるサムネイルアイコン２０２上に方向切替ボタン２０６及び２０７が表示されており、ペン７５によって方向切替ボタン２０６がタップされている。更に、サムネイルアイコン２０２は前述のタップによる方向切替操作により、方向「右」の縮小イメージであるサムネイル画像に切り替えられている。
【０１１７】
図２１は、本実施形態におけるアプリケーションによるデータ表示画面の一例である画像表示画面を示した図である。
【０１１８】
同図は、図２０で説明したサムネイルアイコン２０２を選択してアプリケーションを起動した場合に表示される画像表示画面の一例でもある。注目すべきは、本実施形態ではアイコン一覧画面で表示されている方向が、画像表示画面においても最初に表示されていることであり、アイコン一覧画面とアプリケーションによるデータ表示画面に操作の連続性が確保されるようになった点である。
【０１１９】
以上説明した通り、本実施形態で示した本発明によれば、アイコン一覧画面上で、静止画像や動画像など表示方向を持つデータを示すサムネイルアイコンにおいて、サムネイル状態で指定された表示方向をカレント方向として、アプリケーション起動時の条件を指定可能とした。これにより、アイコン一覧画面においてサムネイルアイコン状態で表示されていた方向とアプリケーション起動時に表示される画面が異なるという問題が解決され、アイコン一覧画面からアプリケーション画面に切り替わった時も、ユーザ操作の連続性が確保されるという効果がある。
【０１２０】
（第５の実施形態）
本実施形態では表示の変倍率を持つ画像データ等を対象に説明する。
【０１２１】
なお、以下の説明で用いる、データ対応処理起動処理とは、請求項１のデータ再生開始手段に相当するものである。また、複数アイコン切替処理とは、請求項１および請求項６の、複数アイコン切替手段に相当するものである。
【０１２２】
図２２は、本実施形態におけるデータ対応処理起動処理の流れを示した図の一例である。
【０１２３】
同図において、ステップｓ２２０１の選択データ取得処理により、前述のアイコン一覧画面で選択された全てのデータが取得される。
【０１２４】
続くステップｓ２２０２において、処理対象が前述の選択データの先頭で初期化され、ステップｓ２２０３で終了と判断された場合、処理を終了する。
【０１２５】
ステップｓ２２０３において、終了と判断されなかった場合、ステップｓ２２０４において、対象データに対応するアプリケーションが起動中かどうか判断される。その結果、対応アプリケーションが起動中であると判断されなかった場合、ステップｓ２２０５のアプリケーション起動処理により、対応アプリケーションが起動される。
【０１２６】
続いて、ステップｓ２２０６のデータ指定処理により、対象データをアプリケーションの処理対象に指定し、続くステップｓ２２０７のサイズ指定処理により、アイコン一覧画面上でのサムネイルアイコンのカレントサイズをアプリケーション起動時の処理サイズに指定する。
【０１２７】
続いてステップｓ２２０８において、次の対象データに処理対象が進められ、再びステップｓ２２０３に戻り、処理を繰り返す。
【０１２８】
図２３は、本実施形態における複数アイコン切替処理の流れを示した図の一例である。
【０１２９】
同図において、ステップｓ２３０１で行われた操作の種類が判断される。
【０１３０】
ステップｓ２３０１において、最小サイズへの切り替え操作と判断された場合、ステップｓ２３０２の最小サイズアイコン生成処理により、対象データの最小サイズの表示イメージを縮小したサムネイル画像からサムネイルアイコンを生成する。
【０１３１】
ステップｓ２３０１において、最大サイズへの切り替え操作と判断された場合、ステップｓ２３０３の最大サイズアイコン生成処理により、対象データの最大サイズの表示イメージを縮小したサムネイル画像からサムネイルアイコンを生成する。
【０１３２】
ステップｓ２３０１において、前サイズへの切り替え操作と判断された場合、ステップｓ２３０４の前サイズアイコン生成処理により、対象データの前サイズの表示イメージを縮小したサムネイル画像からサムネイルアイコンを生成する。
【０１３３】
ステップｓ２３０１において、次サイズへの切り替え操作と判断された場合、ステップｓ２３０５の次サイズアイコン生成処理により、対象データの次サイズの表示イメージを縮小したサムネイル画像からサムネイルアイコンを生成する。
【０１３４】
続くステップｓ２３０６のアイコン表示処理により、上記で生成されたサムネイルアイコンを表示し、処理を終了する。
【０１３５】
図２４は、本実施形態におけるアイコン一覧画面、及び、画面上での操作の一例を示した図である。
【０１３６】
同図において、画面上にサムネイルアイコン２４１〜２４４が表示されており、その中の選択状態にあるサムネイルアイコン２４２上にサイズ切替ボタン２４６及び２４７が表示されており、ペン７５によってサイズ切替ボタン２４６がタップされている。更に、サムネイルアイコン２４２は前述のタップによるサイズ切替操作により、サイズ「次」の縮小イメージであるサムネイル画像に切り替えられている。
【０１３７】
図２５は、本実施形態におけるアプリケーションによるデータ表示画面の一例である画像表示画面を示した図である。
【０１３８】
同図は、図２４で説明したサムネイルアイコン２４２を選択してアプリケーションを起動した場合に表示される画像表示画面の一例でもある。注目すべきは、本実施形態ではアイコン一覧画面で表示されているサイズが、画像表示画面においても最初に表示されていることであり、アイコン一覧画面とアプリケーションによるデータ表示画面に操作の連続性が確保されるようになった点である。
【０１３９】
以上説明した通り、本実施形態で示した本発明によれば、アイコン一覧画面上で、表示の変倍率を持つデータを示すサムネイルアイコンにおいて、サムネイル状態で指定された変倍率をカレントサイズとして、アプリケーション起動時の条件を指定可能とした。これにより、アイコン一覧画面においてサムネイルアイコン状態で指定されていた倍率とアプリケーション起動時に表示される画面が異なるという問題が解決され、アイコン一覧画面からアプリケーション画面に切り替わった時も、ユーザ操作の連続性が確保されるという効果がある。
【０１４０】
（第６の実施形態）
本実施形態では表示位置を持つ画像データ等を対象に説明する。
【０１４１】
なお、以下の説明で用いる、データ対応処理起動処理とは、請求項１のデータ再生開始手段に相当するものである。また、複数アイコン切替処理とは、請求項１および請求項７の、複数アイコン切替手段に相当するものである。
【０１４２】
図２６は、本実施形態におけるデータ対応処理起動処理の流れを示した図の一例である。
【０１４３】
同図において、ステップｓ２６０１の選択データ取得処理により、前述のアイコン一覧画面で選択された全てのデータが取得される。
【０１４４】
続くステップｓ２６０２において処理対象が、前述の選択データの先頭で初期化され、ステップｓ２６０３で終了と判断された場合、処理を終了する。
【０１４５】
ステップｓ２６０３において終了と判断されなかった場合、ステップｓ２６０４において、対象データに対応するアプリケーションが起動中かどうか判断される。その結果、対応アプリケーションが起動中であると判断されなかった場合、ステップｓ２６０５のアプリケーション起動処理により、対応アプリケーションが起動される。
【０１４６】
続いて、ステップｓ２６０６のデータ指定処理により、対象データをアプリケーションの処理対象に指定し、続くステップｓ２６０７の位置指定処理により、アイコン一覧画面上でのサムネイルアイコンのカレント位置をアプリケーション起動時の処理位置に指定する。
【０１４７】
続いてステップｓ２６０８において、次の対象データに処理対象が進められ、再びステップｓ２６０３に戻り、処理を繰り返す。
【０１４８】
図２７は、本実施形態における複数アイコン切替処理の流れを示した図の一例である。
【０１４９】
同図において、ステップｓ２７０１で行われた操作の種類が判断される。
【０１５０】
ステップｓ２７０１において、先頭位置への切り替え操作と判断された場合、ステップｓ２７０２の先頭位置アイコン生成処理により、対象データの先頭位置の表示イメージを縮小したサムネイル画像からサムネイルアイコンを生成する。
【０１５１】
ステップｓ２７０１において、位置情報の最終部分である末尾位置への切り替え操作と判断された場合、ステップｓ２７０３の末尾位置アイコン生成処理により、対象データの末尾位置の表示イメージを縮小したサムネイル画像からサムネイルアイコンを生成する。
【０１５２】
ステップｓ２７０１において、前位置への切り替え操作と判断された場合、ステップｓ２７０４の前位置アイコン生成処理により、対象データの前位置の表示イメージを縮小したサムネイル画像からサムネイルアイコンを生成する。
【０１５３】
ステップｓ２７０１において、次位置への切り替え操作と判断された場合、ステップｓ２７０５の次位置アイコン生成処理により、対象データの次位置の表示イメージを縮小したサムネイル画像からサムネイルアイコンを生成する。
【０１５４】
続くステップｓ２７０６のアイコン表示処理により、上記で生成されたサムネイルアイコンを表示し、処理を終了する。
【０１５５】
図２８は、本実施形態におけるアイコン一覧画面、及び、画面上での操作の一例を示した図である。
【０１５６】
同図において、画面上にサムネイルアイコン２８１〜２８４が表示されており、その中の選択状態にあるサムネイルアイコン２８２上にサイズ切替ボタン２４６及び２４７、位置移動ボタン２８５から２８８が表示されており、ペン７５によって位置移動ボタン２８１１がタップされている。更に、サムネイルアイコン２８２は前述のタップによる位置移動操作により、位置「次」の縮小イメージであるサムネイル画像に切り替えられている。
【０１５７】
図２９は、本実施形態におけるアプリケーションによるデータ表示画面の一例である画像表示画面を示した図である。
【０１５８】
同図は、図２８で説明したサムネイルアイコン２８２を選択してアプリケーションを起動した場合に表示される画像表示画面の一例でもある。注目すべきは、本実施形態ではアイコン一覧画面で表示されている位置が、画像表示画面においても最初に表示されていることであり、アイコン一覧画面とアプリケーションによるデータ表示画面に操作の連続性が確保されるようになった点である。
【０１５９】
以上説明した通り、本実施形態で示した本発明によれば、アイコン一覧画面上で、表示位置を持つデータを示すサムネイルアイコンにおいて、サムネイル状態で指定された表示方向をカレント表示位置として、アプリケーション起動時の条件を指定可能とした。これにより、アイコン一覧画面においてサムネイルアイコン状態で表示されていた表示位置とアプリケーション起動時に表示される画面が異なるという問題が解決され、アイコン一覧画面からアプリケーション画面に切り替わった時も、ユーザ操作の連続性が確保されるという効果がある。
【０１６０】
（第７の実施形態）
本実施形態では、アイコン一覧画面からアプリケーション画面に切り替わった時の操作の連続性を確保するかどうかについて使い分け可能な例を説明する。
【０１６１】
なお、以下の説明で用いる、データ対応処理起動処理とは、請求項１のデータ再生開始手段に相当するものである。また、複数アイコン切替処理とは、請求項１の複数アイコン切替手段に相当するものである。
【０１６２】
図３０は、本実施形態における、全体処理の流れを示した図の一例である。
【０１６３】
同図において、ステップｓ３００１のイベント入力処理で、ユーザによる操作、発生したイベントが入力検知される。
【０１６４】
その結果、続くステップｓ３００２において、終了が指示されたと判断された場合、処理を終了する。
【０１６５】
ステップｓ３００２において、発生したイベントがアイコン一覧表示指示操作として判断された場合、ステップｓ３００３のアイコン一覧表示処理により、表示対象データのアイコンの一覧を表示する。
【０１６６】
ステップｓ３００２において、発生したイベントが、データ対応処理起動指示操作として判断された場合、ステップｓ３００４のデータ対応処理起動処理により、前述のアイコン一覧表示処理により表示されているアイコン一覧の中で、選択されているアイコンが示すデータに対応した処理を起動する。
【０１６７】
ステップｓ３００２において、発生したイベントが、前述のアイコン一覧中の、任意のアイコンの選択状態を切り替える、アイコン選択切替指示操作として判断された場合、ステップｓ３００５のアイコン選択切替処理により、アイコンの選択状態を切り替える。
【０１６８】
ステップｓ３００２において、発生したイベントが、前述のアイコン一覧中の、任意のアイコンの表示形態を切り替える、複数アイコン切替指示操作として判断された場合、ステップｓ３００６の複数アイコン切替処理により、対象となるデータから生成される複数のアイコンを切り替える。
【０１６９】
ステップｓ３００２において、発生したイベントが、前述のアイコン一覧中の、任意のサムネイルアイコンの表示形態を拡大する、アイコン拡大操作として判断された場合、ステップｓ３００７のアイコン拡大表示処理により、対象となるサムネイルアイコンの表示を拡大する。
【０１７０】
それぞれの処理を終了すると、ステップｓ３００１に戻り、処理を繰り返す。
【０１７１】
図３１は、本実施形態における、データ対応処理起動処理の流れを示した図の一例である。
【０１７２】
同図において、ステップｓ３１０１の選択データ取得処理により、前述のアイコン一覧画面で選択された全てのデータが取得される。
【０１７３】
続くステップｓ３１０２において、処理対象が前述の選択データの先頭で初期化され、ステップｓ３１０３で終了と判断された場合、処理を終了する。
【０１７４】
ステップｓ３１０３で終了と判断されなかった場合、ステップｓ３１０４において、対象データに対応するアプリケーションが起動中かどうか判断される。その結果、対応アプリケーションが起動中であると判断されなかった場合、ステップｓ３１０５のアプリケーション起動処理により、対応アプリケーションが起動される。
【０１７５】
続いて、ステップｓ３１０６のデータ指定処理により、対象データをアプリケーションの処理対象に指定し、続くステップｓ３１０７で対象データのサムネイルアイコンが拡大表示中かどうか判断する。
【０１７６】
その結果、拡大表示中であると判断された場合、ステップｓ３１０８のページ指定処理により、アイコン一覧画面上でのサムネイルアイコンのカレントページをアプリケーション起動時の処理ページに指定する。
【０１７７】
続いて、ステップｓ３１０９において、次の対象データに処理対象が進められ、再びステップｓ３１０３に戻り、処理を繰り返す。
【０１７８】
図３２は、本実施形態におけるアイコン選択切替処理の流れを示した図の一例である。
【０１７９】
同図において、ステップｓ３２０１で対象となるサムネイルアイコンの状態が判断される。
【０１８０】
ステップｓ３２０１において、アイコンが非選択状態と判断された場合、ステップｓ３２０２のアイコン選択処理により、図３５で後述するようにアイコンの背景色が変化する等の表示形態の変更と共に、状態を選択状態に変更する。更に、続くステップｓ３２０３のアイコン拡大ボタン表示処理により、後述するアイコン拡大操作を指示する為のボタンを表示し、処理を終了する。
【０１８１】
ステップｓ３２０１において、アイコンが選択状態と判断された場合、ステップｓ３２０４のアイコン非選択処理により、前述のボタン類を非表示にし、背景色を通常状態に戻す等の表示形態を変更し、状態も非選択状態に変更し、処理を終了する。
【０１８２】
図３３は、本実施形態における、アイコン拡大表示処理の流れを示した図の一例である。
【０１８３】
同図において、ステップｓ３３０１のアイコン表示処理により、規定の拡大された大きさでサムネイルアイコンを表示し、続くステップｓ３３０２のアイコン切替ボタン表示処理により、図３６で後述するようにサムネイルアイコンの表示ページを切り替える為のアイコン切替ボタンを表示し、処理を終了する。
【０１８４】
図３４は、本実施形態における、複数アイコン切替処理の流れを示した図の一例である。
【０１８５】
同図において、ステップｓ３４０１で行われた操作の種類が判断される。
【０１８６】
ステップｓ３４０１で先頭ページへの切り替え操作と判断された場合、ステップｓ３４０２の先頭ページアイコン生成処理により、対象データの先頭ページの表示イメージを縮小したサムネイル画像からサムネイルアイコンを生成する。
【０１８７】
ステップｓ３４０１において、最終ページである末尾ページへの切り替え操作と判断された場合、ステップｓ３４０３の末尾ページアイコン生成処理により、対象データの末尾ページの表示イメージを縮小したサムネイル画像からサムネイルアイコンを生成する。
【０１８８】
ステップｓ３４０１において、前ページへの切り替え操作と判断された場合、ステップｓ３４０４の前ページアイコン生成処理により、対象データの前ページの表示イメージを縮小したサムネイル画像からサムネイルアイコンを生成する。
【０１８９】
ステップｓ３４０１において、次ページへの切り替え操作と判断された場合、ステップｓ３４０５の次ページアイコン生成処理により、対象データの次ページの表示イメージを縮小したサムネイル画像からサムネイルアイコンを生成する。
【０１９０】
続くステップｓ３４０６のアイコン表示処理により、上記で生成されたサムネイルアイコンを表示し、処理を終了する。
【０１９１】
図３５は、本実施形態におけるアイコン一覧画面及び画面上での操作の一例を示した図である。
【０１９２】
同図において、画面上にサムネイルアイコン３５１〜３５４が表示されており、その中からサムネイルアイコン３５２をペン７５によって選択している。更に、サムネイルアイコン３５２は前述の選択操作により、背景色が選択状態を表す色に変更されており、更に拡大表示指示用のボタン３５６が表示されている。
【０１９３】
また、同図において、サムネイルアイコン３５１〜３５４で同じサムネイル画像を用いているのは、文書の先頭ページではデータを判別しにくいことを示すために、あえて同一の画像で表現しただけであり、実際のデータでは判別は困難かもしれないが、微妙に異なる画像となる可能性が高い。
【０１９４】
図３６は、本実施形態におけるアイコン一覧画面及び画面上での操作の一例を示した図であり、図３５のアイコン拡大指示ボタン３５６をタップした結果、表示される画面の一例である。
【０１９５】
同図において、画面上にサムネイルアイコン３５１、３５３、３５４および３６２が表示されており、拡大表示状態にあるサムネイルアイコン３６２上にページ切替ボタン８６及び８７が表示されており、ペン７５によってページ切替ボタン８６がタップされている。更に、サムネイルアイコン３６２は前述のタップによるページ切替操作により、８ページから構成されるデータの２ページ目の縮小イメージであるサムネイル画像に切り替えられている。
【０１９６】
また、同図において、サムネイルアイコン３５１、３５３、３５４で同じサムネイル画像を用いているのは、文書の先頭ページではデータを判別しにくいことを示すために、あえて同一の画像で表現しただけであり、実際のデータでは判別は困難かもしれないが、微妙に異なる画像となる可能性が高い。
【０１９７】
以上説明した通り、本実施形態で示した本発明によれば、操作が行われたアイコン一覧画面の状態により、アプリケーション起動時の条件を指定するかどうかをユーザが切り替える手段を有することで、アイコン一覧画面からアプリケーション画面に切り替わった時に、操作の連続性を確保するかどうか、ユーザが使い分けることが出来るという効果がある。
【０１９８】
このように、本発明では、アイコン一覧画面において、サムネイルアイコンの状態により、対応するデータのアプリケーション起動時の条件を指定可能とすることで、アイコン一覧画面においてサムネイルアイコン状態で表示されていたページとアプリケーション起動時に表示される画面が異なるという問題を解決し、アイコン一覧画面からアプリケーション画面に切り替わった時も、ユーザ操作の連続性を確保した。また、それと同時に、従来通り、アプリケーション画面に切り替わる時に先頭ページを表示させることも、ユーザが使い分けることが出来るようにした。
【０１９９】
尚、本発明は、複数の機器（例えばホストコンピュータ、インタフェース機器、リーダ、プリンタなど）から構成されるシステムに適用しても、一つの機器からなる装置（例えば、複写機、ファクシミリ装置など）に適用してもよい。
【０２００】
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。
【０２０１】
この場合、記憶媒体から読出されたプログラムコード自体が前述した実施形態の機能を実現することになり、そのプログラムコードを記憶した記憶媒体は本発明を構成することになる。
【０２０２】
プログラムコードを供給するための記憶媒体としては、例えば、フロッピディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【０２０３】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【０２０４】
更に、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【０２０５】
本発明を上記記憶媒体に適用する場合、その記憶媒体には、先に説明した図に示すフローチャートに対応するプログラムコードが格納されることになる。
【図面の簡単な説明】
【０２０６】
【図１】本発明に係る実施形態におけるハードウェア構成を示す図である。
【図２】本発明に係る実施形態における全体処理を示すフローチャートである。
【図３】本発明に係る実施形態におけるアイコン一覧表示処理を示すフローチャートである。
【図４】本発明に係る実施形態におけるデータ対応処理起動処理を示すフローチャートである。
【図５】本発明に係る実施形態におけるアイコン選択切替処理を示すフローチャートである。
【図６】本発明に係る実施形態における複数アイコン切替処理を示すフローチャートである。
【図７】本発明に係る実施形態におけるサムネイルアイコン操作の一例を示す図である。
【図８】本発明に係る実施形態におけるサムネイルアイコン操作の一例を示す図である。
【図９】本発明に係る実施形態におけるデータ起動画面の一例を示す図である。
【図１０】本発明に係る実施形態におけるデータ対応処理起動処理を示すフローチャートである。
【図１１】本発明に係る実施形態における複数アイコン切替処理を示すフローチャートである。
【図１２】本発明に係る実施形態におけるサムネイルアイコン操作の一例を示す図である。
【図１３】本発明に係る実施形態におけるデータ起動画面の一例を示す図である。
【図１４】本発明に係る実施形態におけるデータ対応処理起動処理を示すフローチャートである。
【図１５】本発明に係る実施形態における複数アイコン切替処理を示すフローチャートである。
【図１６】本発明に係る実施形態におけるサムネイルアイコン操作の一例を示す図である。
【図１７】本発明に係る実施形態におけるデータ起動画面の一例を示す図である。
【図１８】本発明に係る実施形態におけるデータ対応処理起動処理を示すフローチャートである。
【図１９】本発明に係る実施形態における複数アイコン切替処理を示すフローチャートである。
【図２０】本発明に係る実施形態におけるサムネイルアイコン操作の一例を示す図である。
【図２１】本発明に係る実施形態におけるデータ起動画面の一例を示す図である。
【図２２】本発明に係る実施形態におけるデータ対応処理起動処理を示すフローチャートである。
【図２３】本発明に係る実施形態における複数アイコン切替処理を示すフローチャートである。
【図２４】本発明に係る実施形態におけるサムネイルアイコン操作の一例を示す図である。
【図２５】本発明に係る実施形態におけるデータ起動画面の一例を示す図である。
【図２６】本発明に係る実施形態におけるデータ対応処理起動処理を示すフローチャートである。
【図２７】本発明に係る実施形態における複数アイコン切替処理を示すフローチャートである。
【図２８】本発明に係る実施形態におけるサムネイルアイコン操作の一例を示す図である。
【図２９】本発明に係る実施形態におけるデータ起動画面の一例を示す図である。
【図３０】本発明に係る実施形態における全体処理を示すフローチャートである。
【図３１】本発明に係る実施形態におけるデータ対応処理起動処理を示すフローチャートである。
【図３２】本発明に係る実施形態におけるアイコン選択切替処理を示すフローチャートである。
【図３３】本発明に係る実施形態におけるアイコン拡大表示処理を示すフローチャートである。
【図３４】本発明に係る実施形態における複数アイコン切替処理を示すフローチャートである。
【図３５】本発明に係る実施形態におけるサムネイルアイコン操作の一例を示す図である。
【図３６】本発明に係る実施形態におけるサムネイルアイコン操作の一例を示す図である。
【符号の説明】
【０２０７】
１  入力部
２  ＣＰＵ
３  出力部
４  プログラムメモリ
５  データメモリ
７１〜７４、８２、１２１〜１２４、１６１〜１６４、２０１〜２０４、２４１〜２４４、２８１〜２８４、３５１〜３５４  サムネイルアイコン
７５  ペン
８６、８７  ページ切替えボタン
１２６、１２７  シーン切替えボタン
１６６、１６７  フレーズ切替えボタン
２０６、２０７  ページ切替えボタン
２４６、２４７  サイズ切替えボタン
２８５〜２８８  位置移動ボタン
３５６  拡大表示指示用のボタン
【図１】
2008140242.tif 000003
【図２】
2008140242.tif 000004
【図３】
2008140242.tif 000005
【図４】
2008140242.tif 000006
【図５】
2008140242.tif 000007
【図６】
2008140242.tif 000008
【図７】
2008140242.tif 000009
【図８】
2008140242.tif 000010
【図９】
2008140242.tif 000011
【図１０】
2008140242.tif 000012
【図１１】
2008140242.tif 000013
【図１２】
2008140242.tif 000014
【図１３】
2008140242.tif 000015
【図１４】
2008140242.tif 000016
【図１５】
2008140242.tif 000017
【図１６】
2008140242.tif 000018
【図１７】
2008140242.tif 000019
【図１８】
2008140242.tif 000020
【図１９】
2008140242.tif 000021
【図２０】
2008140242.tif 000022
【図２１】
2008140242.tif 000023
【図２２】
2008140242.tif 000024
【図２３】
2008140242.tif 000025
【図２４】
2008140242.tif 000026
【図２５】
2008140242.tif 000027
【図２６】
2008140242.tif 000028
【図２７】
2008140242.tif 000029
【図２８】
2008140242.tif 000030
【図２９】
2008140242.tif 000031
【図３０】
2008140242.tif 000032
【図３１】
2008140242.tif 000033
【図３２】
2008140242.tif 000034
【図３３】
2008140242.tif 000035
【図３４】
2008140242.tif 000036
【図３５】
2008140242.tif 000037
【図３６】
2008140242.tif 000038